Podtech/llm-jp-corpus-v4-ja_patent huggingface dataset:
(57)【要約】【課題】  本発明は、アルミ製の空き缶を資源ゴミ等として投棄する際に、容量をコンパクトにするために、簡単な方法により缶を潰せるようにした道具を提供する。【手段】  下筒に空き缶を入れ、その筒の上から上筒を挿入したうえで足の踵で蹴り降ろし、缶を圧縮する。  以上よりなるアルミ製空き缶潰し器である。【選択図】図３
2010188416.tif 000002
【特許請求の範囲】
【請求項１】
下筒にちょうど収まる上筒を用いて、アルミ製空き缶を垂直方向に綺麗に、かつ簡単に潰せるようにした筒状の家庭用アルミ製空き缶潰し器。
【発明の詳細な説明】
【技術分野】
【０００１】  本発明は、アルミ製の空き缶を資源ゴミ等として投棄する際に、容量をコンパクトにするために、簡単な方法により缶を潰せるようにしたものである。
【背景技術】
【０００２】  アルミ製の空き缶は、底の厚い靴などを履いて垂直に蹴り降ろすことにより、きれいに圧縮されるものであることが知られている。
【発明の開示】
【発明が解決しようとする課題】
【０００３】  その際に次のような問題点があった。
垂直に蹴り降ろすことが難しく、上手に潰すには熟練を要するということがあった。
また、靴を履かなければならないために、玄関や屋外で行わなければならなかった。
本発明は、以上の問題点を解決するためになされたものである。
【課題を解決するための手段】
【０００４】  筒状の上筒と下筒とにより、アルミ製空き缶を垂直方向に圧縮する。
本発明は、以上の構成よりなるアルミ製空き缶潰し器である。
【発明の効果】
【０００５】  筒状の道具を使うことにより、失敗することなく垂直方向に力を加えることができるとともに、靴を履かなくても素足で、尚且つ屋内でもできるというものである。
使用の際に、アルミ缶が潰れていき、クッションの役割をするために、大きな音や衝撃は無い。
５００ＣＣと３５０ＣＣのアルミ缶に使用が可能。
ゴミとしての容量を約４分の１に縮小できる。
【発明を実施するための最良の形態】
【０００６】  以下、本発明の実施の形態を説明する。
（イ）外径７６ｍｍ、長さ２１５ｍｍの筒に、外径８１ｍｍ、長さ３７ｍｍのキャップを両端に付けて上筒とする。
直径４ｍｍ程度の空気抜きの穴を周囲に２ケ所、上下に各１ケ所開ける。
（ロ）外径８９ｍｍ、長さ２０２ｍｍの筒に、外径９５ｍｍ、長さ４３ｍｍのキャップを片方の端に付けて下筒とする。キャップの内側には、内径５５ｍｍ、高さ・厚み２ｍｍの円形ガイドリングを底部中央に付ける。
直径４ｍｍ程度の空気抜きの穴を周囲に３ケ所ずつ、合計６ケ所開ける。
（ハ）（ロ）の中にアルミ製空き缶（５００ＣＣ、３５０ＣＣ）を１個入れ、上から（イ）を入れる。
それを床の上に置いて、足の踵で（イ）を蹴り降ろす、３回から５回位に分けて蹴り降ろすことにより、空き缶は約４５ｍｍ（５００ＣＣ）以下に圧縮される。
【図面の簡単な説明】
【０００７】
【図１】本発明の上筒の側面図
【図２】本発明の下筒の側面図
【図３】本発明の使用状態を示す側面図
【図４】本発明の上筒の斜視図
【図５】本発明の下筒の斜視図
【図１】
2010188416.tif 000003
【図２】
2010188416.tif 000004
【図３】
2010188416.tif 000005
【図４】
2010188416.tif 000006
【図５】
2010188416.tif 000007
(57)【要約】【課題】磁気記録部に記録した情報を容易に読み取ることが可能な重ね合わせ帳票を提供する。【課題の解決手段】重ね合わせ帳票１は、複数枚の帳票２，３，４の各表面側に、帳票２，３，４毎に異なる識別情報６を記入する識別情報記入欄を設ける一方、各裏面側には、前記識別情報に対応する磁気データを記録するための磁気記録部８を、各帳票２，３，４を重ねた状態において互いが重なり合わない位置に設けてなる。前記重ね合わせ帳票１は、各帳票２，３，４が重なった状態において各磁気記録部８は重なり合わないので、各帳票２，３，４が重なった状態で各磁気記録部８に書き込まれた識別情報６に対応する磁気データを確実に読み取ることができる。【選択図】図２
2010188672.tif 000002
【特許請求の範囲】
【請求項１】
複数枚の帳票の各表面側に、帳票毎に異なる識別情報を記入する識別情報記入欄を設ける一方、各裏面側には、前記識別情報に対応する磁気データを記録するための磁気記録部を、各帳票を重ねた状態において互いが重なり合わない位置に設けたことを特徴とする重ね合わせ帳票。
【発明の詳細な説明】
【技術分野】
【０００１】
本発明は、それぞれの帳票に異なる識別情報を記録するための、あるいはすでに記録した記録部を設けた重ね合わせ帳票に関するものである。
【背景技術】
【０００２】
複数枚の帳票、例えば複数枚の請求書を同じ被請求者に郵送するため、一つの封筒に封入する際に、宛名とのマッチングミスや他の被請求者分が紛れ込んだり、１枚封入し忘れたりするなどの不都合が発生し易い。従来、このような不都合を防止するために、顧客データを印字するとともに、それぞれに識別用バーコードを設けた単位伝票を連ねた連続伝票用紙を作成し、この連続伝票用紙を切断してなる単位伝票を、前記バーコードで識別して集積し、綴じ合わせて冊子となした伝票冊子（特許文献１参照）が提案されている。
【先行技術文献】
【特許文献】
【０００３】
【特許文献１】特開平０７−１６４７８４号公報
【発明の概要】
【発明が解決しようとする課題】
【０００４】
上記従来例は、複数の帳票を重ね合わせた状態では、各帳票を一枚ずつ捲らなければバーコードを読み取ることができないうえ、封入後は封筒に表示した識別コードと封入した伝票のバーコードとのマッチングを確認できないという不都合があった。
【０００５】
本発明は、このような不都合を解消した重ね合わせ帳票を提供することを目的とする。
【課題を解決するための手段】
【０００６】
この目的を達成するために、本発明の請求項１に係る重ね合わせ帳票は、複数枚の帳票の各表面側に、帳票毎に異なる識別情報を記入する識別情報記入欄を設ける一方、各裏面側には、前記識別情報にそれぞれ対応する磁気データを記録するための磁気記録部を、各帳票を重ねた状態において互いが重なり合わない位置に設けたことを特徴とする。
【発明の効果】
【０００７】
本発明の請求項１に係る重ね合わせ帳票によれば、各帳票が重なった状態において各磁気記録部は重なり合わないので、各帳票が重なった状態で各磁気記録部に書き込まれた識別情報に対応する磁気データを読み取ることができ、各帳票の確認や管理が容易であり、また、磁気記憶部を帳票の裏面に設けたので、表面側の記入欄への記入作業に支障がでないという効果を奏する。
【図面の簡単な説明】
【０００８】
【図１】重ね合わせ帳票の概略的な平面図。
【図２】図１のＡ−Ａ線断面図。
【図３】重ね合わせ帳票を封入した封筒の平面図。
【発明を実施するための形態】
【０００９】
以下、本発明を複数枚の請求書を一つの封筒で郵送するのに好適な実施形態について添付図面の図１〜図３に基づき説明する。
【００１０】
図１及び図２に示すように、重ね合わせ帳票１は、３枚の帳票である請求書２，３，４を重ねてなり、前記請求書２，３，４の各表面側には、個人情報である被請求者の宛名５を記入するための特定情報記入欄と、識別情報である請求書番号６を記入するための識別情報記入欄を設けるとともに、請求書情報である請求内容７ａ及び請求金額７ｂを記入するための請求情報記入欄を設ける。前記個人情報である宛名５は、個人や会社を特定する特定情報である。
【００１１】
一方、各請求書２，３，４の裏面側には、前記特定情報及び前記識別情報に対応する磁気データを読み取り可能な磁気情報として記録するための磁気記録部８を、各請求書２，３，４を重ねた状態において互いが重なり合わない位置にそれぞれ設ける。
【００１２】
各請求書２，３，４は、これら表面側に、前記各特定情報記入欄に前記宛名５を、また各識別情報記入欄に請求書番号６を、さらに各請求情報記入欄に請求内容７ａ及び請求金額７ｂを、それぞれあらかじめデータ入力してあるコンピュータに接続されたプリンタ（図示せず）によって印字記入し、裏面側の前記各磁気記憶部８には、前記特定情報である宛名５及び識別情報である請求書番号６とにそれぞれ対応する磁気データを前記コンピュータに接続された書き込み装置（図示せず）により書き込んで記録する。
【００１３】
前記磁気記録部７は、磁気インクや磁気テープなど公知の手段で構成する。なお、前記コンピュータには、前記特定情報、識別情報及び請求情報のほかにも特定情報に関連する各種情報に対応するデータが登録されている。
【００１４】
続いて、上述した重ね合わせ帳票１の使用法を説明する。図３に示すように、上記重ね合わせ帳票１は、請求書発行会社において宛名５とバーコード９が表示された封筒１０に封入され前記宛名５に郵送する。前記バーコード９は前記宛名５と紐付けされている。この郵送に先だって、封入作業後にバーコード読み取り装置及び磁気データ読取装置（図示せず）によってバーコード９と、各磁気記憶部８に記録された特定情報及び識別情報を読み取り、各請求書２，３，４と封筒１０とのマッチング及び請求書２，３，４の封入ミスを確認する。この際、前記各磁気記録部８は互いに重ならない位置に設けられているので、確実なデータ読み取りが可能である。
【００１５】
なお、本発明は、上述した実施形態に限定されるものではなく、例えば、上記実施形態のような請求書２，３，４ではなく、異なる配送品を記載してなる綴じ合わせ配送伝票や、複数の個人が所属する団体などの各個人に送付する各種申込書を重ね合わせたものなどに適用してもよい。また、重ね合わせ帳票は３枚に限らない。
【符号の説明】
【００１６】
１      重ね合わせ帳票
２，３，４      請求書
５      宛名
６      請求書番号
７ａ      請求内容
７ｂ      請求額
８      磁気記録部
９      バーコード
１０      封筒
【図１】
2010188672.tif 000003
【図２】
2010188672.tif 000004
【図３】
2010188672.tif 000005
(57)【要約】【課題】本発明は，健康器具として首部を延ばして首や肩の負荷を解消するために発明されたもので誰にでも簡単に使用出来るため、机上等にて行う手作業等に於いても使用出来る器具として提供する。【解決手段】２本の伸縮支持棒（１）（２）の頭部にホールド板（３）の連結金具（６）（７）形成し、あごのホールドをする板（３）をゴム板等の材料にて形成しホールド板（３）の両端に支持金具（４）（５）を形成し伸縮支持棒のホールド板の連結金具（６）（７）にそれぞれ連結してあごを乗せて使用する如く構成する。本発明は、以上の構成よりなる、健康器具である。【選択図】図１
2010188096.tif 000002
【特許請求の範囲】
【請求項１】
２本の伸縮支持棒（１）（２）の頭部にホールド板の連結金具（６）（７）を形成し、あごのホールドをする板（３）を形成し両端に支持金具（４）（５）を形成してなる健康器具。
【発明の詳細な説明】
【技術分野】
【０００１】本発明は、首部を延ばして首、肩の負荷を解消する健康器具である。
【背景技術】
【０００２】従来使用されている物は病院等で医療用として使用されている大型の器具である。
【発明の開示】
【発明が解決しようとする課題】
【０００３】そのために，次のような問題点があった。
首部を延ばして首、肩の負荷を解消するには通院しなければならない。
本発明はこのような問題点を解決するためになされたものである。
【課題を解決するための手段】
【０００４】２本の伸縮支持棒（１）（２）の頭部にホールド板（３）の連結金具（６）（７）を形成し、あごのホールドをする板（３）をゴム板、等の材料にて形成しホールド板（３）の両端に支持金具（４）（５）を形成し伸縮支持棒のホールド板の連結金具（６）（７）にそれぞれ連結してあごを乗せて使用する如く構成する。
本発明は、以上の構成よりなる、健康器具である。
【発明の効果】
【０００５】本発明は構造が極めて簡単で長さの調整が容易で誰にでも適用され、首の延ばし角度が伸縮支持棒の接地部の移動によって変更出来、強さも意思により変更可能である。また持ち運びが容易で所を選ばず使用する事が出来るため、机上等にて行う手作業等に於いても首や肩の負荷を解消しながら作業する事が出来る。
【発明を実施するための最良の形態】
【０００６】以下、本発明の実施の形態を説明する。
２本の伸縮支持棒（１）（２）を身体の前面に立てて、ホールド板（３）を連結し、ホールド板（３）上にあごを乗せて頭部の荷重をホールド板上に懸けたり緩めたりを繰り返して首や肩の負荷を解消する。
【図面の簡単な説明】
【０００７】
【図１】本発明の斜視図
【図２】ホールド板
【符号の説明】
【０００８】（１）            伸縮支持棒
（２）              同上
（３）            ホールド板
（４）（５）      ホールド板支持金具
（６）（７）      ホールド板連結金具
（８）（９）            伸縮調整部
（１０）          頭
【図１】
2010188096.tif 000003
【図２】
2010188096.tif 000004
(57)【要約】【課題】  お弁当などに入れるバランはビニール製の使い捨てのものが主流で、地球に優しくない。  本発明は、これらの問題点を解決するためになされたものである。【解決手段】  本体台座の中央部分をテイパ状にくり抜き、上部左右の高さに段差を設け、高い方を傘部とし、低い方にネジやびょう等で金属刃を取り付ける。  以上の構成よりなる調理削り具。【選択図】図１
2010188091.tif 000002
【特許請求の範囲】
【請求項１】
本体台座の中央部分をテイパ状にくり抜き、上部左右の高さに段差を設け、高い方を傘部とし、低い方にネジやびょう等で金属刃を取り付けることを特徴とした調理削り具。
【発明の詳細な説明】
【技術分野】
【０００１】  本発明は、きゅうり、大根などの棒状野菜を、らせん状に削る調理具に関するものである。
【背景技術】
【０００２】  従来、きゅうりの加工方法は、切る、ちぎる、スライスするなどが知られている。（特許文献１参照）
お弁当などに入れるバランは、ビニール製が主流だ。
【特許文献１】  特開平９−１７３２２３
【発明の開示】
【発明が解決しようとする課題】
【０００３】  お弁当などに入れるバランは、ビニール製の使い捨てのものが主流で地球に優しくない。
本発明は、これらの問題点を解決するためになされたものである。
【課題を解決するための手段】
【０００４】  本体台座の中央部分をテイパ状にくり抜き、上部左右の高さに段差を設け、高い方を傘部とし、低い方にネジやびょう等で金属刃を取り付ける。
以上の構成よりなる調理削り具。
【発明の効果】
【０００５】  きゅうり、大根などの棒状野菜を差し込み、回転させることによって、一定の厚さでらせん状に削られ食べられるバランが、素人でも簡単に作ることが出来る。その他料理の盛り付けの飾りにもなる。
【発明を実施するための最良の形態】
【０００６】  以下、本発明の実施の形態を説明する。
（イ）テイパ状にくり抜かれた本体台座（１）に、金属刃（２）をネジ（３）などで取り付ける。
本発明は、以上のような構造である。
本発明を使用するときは、テイパ状の穴にきゅうり、大根などの棒状野菜を差し込み、鉛筆削りの要領で回転させて削る。
【図面の簡単な説明】
【０００７】
【図１】本発明の斜視図
【符号の説明】
【０００８】  （１）本体台座  （２）金属刃  （３）ネジ  （４）傘部  （５）調理材料差し込み口
【図１】
2010188091.tif 000003
(57)【要約】【課題】痔が出て痛む時、この痛みを解消するために、痔を押し込んで留めておく器具を提供する。【解決手段】器具を挿入する事により、本体１が肛門内の痔を押さえ、２のくびれにより体外に出るのを防ぎ、３のストッパーが肛門内に入るのを防ぐので、痛みを取り除き普段の生活が出来るようになる。紐取り付け穴４は、もしも器具が体内に入ってしまった時に、引き出せるように紐を取り付ける為の穴である。【選択図】図１
2010188100.tif 000002
【特許請求の範囲】
【請求項１】
痔の痛みを取る手段として、痔を押し込んで、押し込んだ痔が器具によって体内に収まり肛門外に出ないようにした、肛門の栓である。
【発明の詳細な説明】
【技術分野】
【０００１】本発明は、痔が体外に出て痛むのを解消するために、痔を体内に押し込んで押し込んだ痔が、肛門内に留まるようにしたものである。
【背景技術】
【０００２】従来は、座薬か塗り薬、又は痔の部分を外から押さえるだけの物しかなく挿入器具は無かった。
【発明の開示】
【発明が解決しようとする課題】
【０００３】痔は、出てしまうと薬だけではなかなか治らず、横になって指で押し込んでいると出なくなると医者に言われたが、長時間この状態でいると指先が痺れてしまい、そのうえ他の事が何も出来ないと言う難点があった、本発明は、この課題を解消するためになされたものである。
【課題を解決するための手段】
【０００４】痔を体内に押し込み、器具を挿入する事によって痔を体内に留まるようにした。
【発明の効果】
【０００５】痔になっても、器具を使用する事により痛みも無く、普段の生活が出来る。
【実施例１】
【０００６】自分自身が痔に悩まされた時、この器具を考えて使用したところ、痛みが無くなり使用感もほとんどないので、痔のことを忘れて生活する事が出来た。その後何回か繰り返すうち、痔が出る事がなくなり、今では痔の悩みがなくなりました。
【実施例２】
【０００７】自分の息子も同じ様な痔で悩んでいると聞いたので、自分が楽になったのだから息子にも効くだろうと思い、嫌がる息子に同じ器具を作って使用させたところ、痛みも無く、痔の事を忘れて仕事が出来たと、大変喜ばれました。
【図面の簡単な説明】
【０００８】
【図１】本発明の正面図である。
【図２】本発明の側面図である。
【図３】本発明の上面図である。
【図４】本発明の下面図である。
【図５】本発明の使用状態を示す応用図である。
【符号の説明】
【０００９】１  器具本体
２  くびれ
３  ストッパー
４  紐取付穴
【図１】
2010188100.tif 000003
【図２】
2010188100.tif 000004
【図３】
2010188100.tif 000005
【図４】
2010188100.tif 000006
【図５】
2010188100.tif 000007
(57)【要約】【課題】  磁石や吸盤によって接着させる布巾掛けやタオル掛け本体の脱落を防止するため、耐荷重量を強化する構造の取り付け具を提供する。【解決手段】  取り付け部の上部着面を大きくして、接着力を強化するために複数点に磁石または吸盤を設置する構造により、耐荷重量を強化して本体の脱落を防止する。【選択図】図１
2010188099.tif 000002
【特許請求の範囲】
【請求項１】
布巾掛けやタオル掛けの取り付け部の上部着面を大きくして接着力を強化するために複数点に磁石または吸盤を設置する構造により耐荷重量を強化し、本体の脱落を防止することを特徴とする布巾掛け等の耐荷構造接着具。
【発明の詳細な説明】
【技術分野】
【０００１】  本発明は、磁石や吸盤によって接着する布巾掛けやタオル掛け本体の脱落防止のために、耐荷重量を強化する構造の接着具に関するものである。
【背景技術】
【０００２】  従来は、ふきん掛けの取り付け部は縦上下に磁石や吸盤が配置されている。またタオル掛けの取り付け部は丸形の大きな吸盤や四角の磁石一個で接着するようになっている。
【発明の開示】
【発明が解決しようとする課題】
【０００３】そのために次のような問題点がある。
（イ）ふきん掛けやタオル掛けは、フック等と異なり加重部が外側へ突起しているためテ      コの原理がはたらき、本体が脱落してしまうことが多い。
（ロ）特に吸盤で接着する場合は、吸盤の耐久性の問題も加わり、何度も買い替えなけれ      ばならない。
本発明は以上の問題点を解決するためになされたものである。
【課題を解決するための手段】
【０００４】  ふきん掛けやタオル掛けの取り付け部の上部着面を大きくして、接着力を強化するために複数点に磁石または吸盤を設置する構造により耐荷重量を強化し、本体の脱落を防止することを特徴としたふきん掛け等の耐荷構造接着具である。
【発明の効果】
【０００５】  耐荷重量が従来の製品に比べて２倍以上強化され、本体の脱落を防止することができる。
【発明を実施するための最良の形態】
【０００６】以下本発明を使用するときの最良の形態について説明する。
（イ）本発明は、取り付け部の上部を拡大し、適所に磁石または吸盤複数個を設置するこ      とにより、耐荷重量を強化したものである。
（ロ）したがって本発明を実施するときの取り付け部の形状は（イ）を基本とし、Ｔ字形      （１）や逆三角形（５）あるいはハート形など任意の形状にすることができる。
【図面の簡単な説明】
【０００７】
【図１】ふきん掛け取り付け具の本体斜視図
【図２】（図１）の裏面（壁面接着部）の斜視図
【図３】ふきん掛けの別の形状例における本体斜視図
【図４】（図３）の裏面（壁面接着部）の斜視図
【符号の説明】
【０００８】１  取り付け部
２  ふきん掛けの軸
３  取り付け部
４  磁石または吸盤
５  取り付け部
６  タオル掛けの軸
７  取り付け部
８  磁石または吸盤
【図１】
2010188099.tif 000003
【図２】
2010188099.tif 000004
【図３】
2010188099.tif 000005
【図４】
2010188099.tif 000006
(57)【要約】【課題】運動中や移動中に飲料水を飲むときに、水筒やペットボトルがバッグなどに収納されていると取り出す手間がかかった。また収納のバッグにも飲料水ボトルのための余分なスペースをとられていた。  本発明は、運動中や移動中などに携帯でき、手軽にボトルの飲料水を摂取するための装着式ボトルホルダーを提供する。【解決手段】腕に装着するため、挟み具とベルトを設ける。また、もう一方に水筒またはペットボトルをはさみ固定するための挟み具とベルトを設ける。ボトルの位置を調整するためのレールと留め具を挟み具に設ける。【選択図】図１
2010188093.tif 000002
【特許請求の範囲】
【請求項１】
腕に装着するため挟み具とベルトを設け、また、もう一方に水筒またはペットボトルをはさみ固定するための挟み具とベルトを設けた装着式ボトルホルダー。
【請求項２】
ボトルの位置を調整するためのレールと留め具を挟み具に設けた請求項１の装着式ボトルホルダー。
【発明の詳細な説明】
【技術分野】
【０００１】本発明は、運動時に飲料水ボトルを腕に装着し携帯する道具に関するものである。
【背景技術】
【０００２】従来、ジョギング等の運動中に水筒やペットボトル等の飲料水を携行する際はウエストバッグ等に収納することが多かった。
なお、衣服やベルト等に装着、携帯し飲料水を提供する以下の器具が知られている。
（特許文献参照）
【特許文献１】特許公開２００７−１１８９８６
【特許文献２】特許公開２００７−４５４４０
【特許文献３】登録実用新案第３１１２９４８号
【発明の開示】
【発明が解決しようとする課題】
【０００３】運動中に飲料水を飲む場合、収納しているバッグから取り出す手間がかかった。また収納のバッグにも飲料水ボトルのための余分なスペースをとられていた。
本発明は、以上の問題点解決するためになされたものである。
【課題を解決するための手段】
【０００４】腕に装着するため、挟み具とベルトを設ける。また、もう一方に水筒またはペットボトルをはさみ固定するための挟み具とベルトを設ける。ボトルの位置を調整するためのレールと留め具を挟み具に設ける。
以上の構成からなる装着式ボトルホルダー
【発明の効果】
【０００５】本発明は、従来飲料水のボトルを携帯する際にバッグなどに収納する手間が省ける。また、運動中にも手軽に携帯でき、ボトルの位置をずらすだけで直接飲料水を摂取できる。また、ボトルを置く場所がないスポーツジムなどの施設を使用する際も携帯することができる。
【発明を実施するための最良の形態】
【０００６】（イ）      腕に装着する二又状の挟み具１（１）の中央に固定するための面ファスナー付のベルト１（２）を設ける。
（ロ）      ボトルを嵌めるための挟み具２（３）の中央に固定するための面ファスナー付のベルト２（４）を設ける。
（ハ）      挟み具１（１）と挟み具２（３）を接合すると同時にボトルの位置を調節するレール（５）と面ファスナー付の留め具１（６）を設ける。
（ニ）      ボトルの位置を固定させる面ファスナー付の留め具２（７）を設ける。
本発明は以上のような構造である。
本発明を使用するときは、挟み具１（１）を腕に挟んだあと、ベルト１（２）でしっかりと固定する。次に挟み具２（３）にボトルを挟んだあとベルト２（４）でしっかりと固定する。
運動する際に飲料水を摂取する場合やボトルをはずすときは挟み具１（１）と挟み具２（３）に取り付けてあるレール（５）に面ファスナー付の留め具１（６）を手前にスライドさせ、面ファスナー付の留め具２（７）に接着させ固定する。同様に、飲料水を摂取しない場合は、奥にスライドさせ面ファスナー付の留め具２（７）に接着させ固定する。
【図面の簡単な説明】
【０００７】
【図１】本発明の斜視図
【図２】本発明の使用状態を示す斜視図
【符号の説明】
【０００８】（１）挟み具１、（２）ベルト１、（３）挟み具２、（４）ベルト２、（５）レール、
（６）留め具１、（７）留め具２
【図１】
2010188093.tif 000003
【図２】
2010188093.tif 000004
(57)【要約】【目的】  医療器具の消毒に使用される高水準消毒剤は高価であること、時間がかかること、消毒作業者に対する薬液蒸気の障害、まれには器具被使用者に対する残留薬液障害など問題がある。短時間に滅菌効果がありながら人体への障害がほとんど無いと評価されている二酸化塩素の濃度および接触時間を、使用に適する値に調節できる消毒装置によって、安全で短時間に安いコストで医療器具消毒が可能となる。（機器使用による消毒は薬事法で承認）【構成】  密閉の出来る医療器具消毒槽５と二酸化塩素水溶液を容器１から吸引して希釈槽３に指定量注入する定量ポンプ２、清浄水を希釈槽に注入して二酸化塩素濃度を設定濃度に希釈して消毒槽に送入する給水電磁弁６流路、指定消毒時間が終了したら排液する排液電磁弁６流路、すすぎ洗い用清浄水を消毒槽に注入する給水電磁弁６流路、および消毒時間やすすぎ洗い時間さらにすすぎ洗い回数を制御する電気回路で構成される。【選択図】図１
2010188095.tif 000002
【特許請求の範囲】
【請求項１】
医療器具の消毒を目的に二酸化塩素水溶液を使用して、十分有効な消毒効果と共に器具の素材耐性受容範囲内である二酸化塩素濃度１０〜４０ｐｐｍに希釈し、その濃度に適する接触時間１〜５分を制御して医療器具の消毒を行う装置。
【発明の詳細な説明】
【発明の詳細な説明】
【０００１】  本発明は、強力な殺菌力と人体に害が少なく低価格という特徴がありながら、強い酸化力や刺激臭及び経時劣化するという扱い難さから医療機関で採用されることがなかった二酸化塩素を、使用濃度・接触時間を自動で制御する機構を有する密閉型の洗浄消毒槽を採用することによって、医療器具の日常的消毒に使用できるようにしたものである。
【０００２】  従来、医療器具の消毒はグルタールアルデヒド、オルトフタラール、過酢酸など高水準消毒剤で行われているが、これら薬剤は高価格、必要接触時間が長い、容器開封後の使用期限が短い、劇物のため消毒作業時に発生する薬液蒸気による作業者への障害、附着残留薬物による被使用者への障害など様々な問題があり、医療機関の感染防止作業の負担となっている。
【０００３】  本発明は、医療器具を消毒するための密閉した洗浄消毒槽を有し、洗浄消毒槽に注入される消毒液は、使用する二酸化塩素水溶液の二酸化塩素濃度に応じてあらかじめ指定された量を希釈槽内に吸引し、次に清浄水を注入して指定倍数で希釈された二酸化塩素濃度１０〜４０ｐｐｍの希釈水を使用する、その液に指定された時間（１〜５分間）医療器具を浸漬して消毒する、指定時間経過後排液してから、清浄水が注入されてすすぎ洗いを行い、薬液残留が無くなる回数すすぎ洗いした後排水して消毒完了するものである。
【０００４】  本発明に含まれる、器具消毒に必要な二酸化塩素濃度１０〜４０ｐｐｍおよび接触時間１〜５分は、本装置を使用した医療現場における度重なるテストおよび経験において効果が認められており、日本環境感染学会や消化器内視鏡技師研究会でも発表されている。
【０００５】  本発明による医療器具の消毒作業は、安全で短時間に人手が少なく安いコストで完了するため、医療機関の感染防止業務に寄与できると考えられる。
【図面の簡単な説明】
【図１】  消毒装置の簡単な液流路図である
【符号の説明】  １  二酸化塩素水溶液容器
２  定量ポンプ
３  希釈槽
４  医療器具
５  洗浄消毒槽
６  電磁弁
７  清浄水給水
８  排液
【図１】
2010188095.tif 000003
(57)【要約】【課題】人工肛門患者は一日に数回ストーマパウチ内に溜まった排泄物をトイレに排出しなければならないが、従来の下部開放型ストーマパウチは汚物が漏れ出さないように排出口を数回折り畳みマジックテープやストッパーで封鎖しておかなければならず、汚物廃棄に際し、それらを外すとき両手は排出口の直近にあるため、往々にして排泄物が手に付着してしまうという課題があった。【解決手段】本発明は積層フィルの最外部にカットラインを入れ、そのカットラインがストーマパウチ底部のヒートシール部分の数ミリから数センチ上部になるように配置し、さらにカットライン上部に引っ張れば外れる程度の強度をもったヒートシールまたは粘着テープを配することにより、排泄物を排出する際に手を汚すことのない構造のストーマパウチで課題を解決している。【選択図】図２
2010188092.tif 000002
【特許請求の範囲】
【請求項１】
最外部に引き剥がし用のカットラインを設けた積層フィルム製であって、そのカットラインが底部の上部数ミリから数センチ上の位置に配されていることを特長とする使い捨てストーマパウチ。
【請求項２】
カットライン上部に容易に分離可能な強度のヒートシールもしくは粘着テープが配されたことを特長とする請求項１の使い捨てストーマパウチ。
【発明の詳細な説明】
【技術分野】
【０００１】本発明は積層フィルム製ストーマパウチの最外部フィルムにカットラインを入れることにより、手を汚すことなく排泄物を廃棄することが可能な使い捨てストーマパウチに関するものである。
【背景技術】
【０００２】従来、人口肛門患者が使用する下部開放型のストーマパウチは、収容した排泄物を廃棄するに際し、ストーマパウチ底部の排出口を開き、排泄物をトイレに流している。【０００３】こうした下部開放型ストーマパウチの排出口は収容された排泄物が漏れ出さないように、排出口を数回折り畳んだ上、マジックテープやクリップ式ストッパーで止める方式が採用されている。【０００４】そのため、排泄物をトイレに排出する際、マジックテープあるいはストッパーを外さなければならないが、そのとき両手は排出口の近くにあるため、往々にして手に汚物が付着してしまい、人工肛門患者の悩みの種となっている。【０００５】さらに、従来の下部解放型のストーマパウチでは排出口を止めるマジックテープやストッパーがきちんと留められていないと装着中に排泄物が漏れ出す可能性があり、高齢者や手先の不自由な人にとって排出口を閉じる作業は必ずしも容易な作業ではない。
【発明の概要】
【発明が解決しようとする課題】
【０００６】本発明は排泄物が手に付着することなく廃棄できる構造を持ったストーマパウチを提供することにより人工肛門患者の生活の質の向上に資することを課題としている。
【課題を解決するための手段】
【０００７】カットラインを入れたフィルムを最外部に配置した積層フィルムでストーマパウチを形成する。【０００８】カットラインはストーマパウチ両側底部の数ミリから数センチ上部に横方向に設ける。【０００９】ストーマパウチ底部の形状はカットラインを引き破り易いように指で摘む部分を設けるため、Ｕ字型もしくはＶ字型の形状とする。【００１０】さらに望ましくは、カットラインの数ミリから数センチ上部に排泄物を保持するに十分な強度を持ち、引っ張れば分離する程度のヒートシールを配し、若しくはパウチ内の内側に粘着テープを配した形状とする。【００１１】これにより、底部が二段構成となり、カットラインを引き剥がしても直ちに排泄物が排出されることはなく、人工肛門患者は排出口上部のフィルムを引っ張ってヒートシール若しくは粘着テープを剥がすことにより、手を汚すことなく排泄物を廃棄することができる。
【発明の効果】
【００１２】本発明のストーマパウチを使用すれば、人工肛門患者はストーマパウチに収容した排泄物をトイレに廃棄するに際して、袋底部に設けられたカットラインを引き剥がすことにより、手を汚すことなく排泄物を排出することができる。
【図面の簡単な説明】
【００１３】
【図１】  最外部にカットラインを配した多層の積層フィルムの断面図である。
【図２】  本発明のストーマパウチの平面図である。
【図３】  本発明のストーマパウチの断面図である。
【発明を実施するための形態】
【００１４】本発明の一例をカットライン上部に引っ張れば引き剥がせる程度の強度のヒートシールを配したストーマパウチを図面に基づいて説明する。
【実施例】
【００１５】ストーマパウチの素材となるフィルムは図１のようにあらかじめカットライン１の入ったフィルムを最外部に配して複数のフィルムと積層して一体となったフィルムを使用する。【００１６】このフィルムのカットライン１が外側になるように２枚重ね、外周部を図２のようにヒートシール２で袋状にし、下部をＶ字の排出口３を形成するためのヒートシール４をする。【００１７】さらに、カットライン１の上部数ミリから数センチ上部に、引っ張れば引き剥がせる程度の強度のヒートシール５を行なう。【００１８】排泄物を収容した場合、図３のような状態となり、カットライン１に沿って底部を引き剥がしても排泄物は引っ張れば引き剥がせる程度の強度のヒートシール５でとどまっている。【００１９】排泄物を排出するにはヒートシール５より上の部分のフィルムを両面から引っ張れば、ヒートシール５が剥がれ、排泄物は排出口３より排出される。【００２０】このようにストーマパウチ内の排泄物を排出するに際し、手の指はヒートシール５の上部となるため、手を汚すことなく排泄物を廃棄することができる。【００２１】なお、ヒートシール５の強度は使用するフィルムによりシール幅やシール温度を調整することにより得ることができる。
【符号の説明】
【００２２】１  カットライン
２  外周部ヒートシール
３  排出口
４  排出口形成用のヒートシール
５  引っ張れば引き剥がせる程度の強度のヒートシール
【図１】
2010188092.tif 000003
【図２】
2010188092.tif 000004
【図３】
2010188092.tif 000005
(57)【要約】【課題】煮物用鍋の蓋及び杓子を鍋容器に装着し、他に置き場所をとらないようにするための、鍋と蓋及び杓子を提供する。【解決手段】蓋のヘラ状の爪と鍋の受け口、及び杓子のフックにより鍋容器の内側に装着できるため、蓋及び杓子の置き場所がいらず、汚れも解決できる。【選択図】図１
2010188110.tif 000002
【特許請求の範囲】
【請求項１】
（Ａ）蓋の外面部にヘラ状の爪を設け、これを鍋容器の外周に掛け、装着できるようにした鍋の蓋。
（Ｂ）箸、杓子を鍋の中に入れたまま蓋ができるように、蓋の外周部を凹状に切り欠いた鍋の蓋。
【請求項２】
［請求項１］（Ａ）の蓋を鍋の縁に装着できるよう容器の外周部に受け口を設けた鍋。
【請求項３】
柄の部分にフックを設け、そのフックを鍋の縁に掛け、吊り下げることができる杓子。
【発明の詳細な説明】
【技術分野】
【０００１】本発明は、煮物用鍋の縁にその蓋を立て掛け、杓子も鍋の縁に吊り下げるようにして、他に置き場所をとらず、また汚さないようにするために関するものである。
【背景技術】
【０００２】今までは鍋の蓋をあけた時、及び杓子を使った後コンロ台またはテーブル上に置くか、手に持っていた。鍋に装着できる形態のものはなかった。
【発明の開示】
【発明が解決しようとする課題】
【０００３】そのために、次のような間題点があった。
（イ）鍋の蓋をあけてそれを置くには、別に蓋の平面積が必要である、家庭用のガスコンロなどは場所が狭いので置くのに困難であった。また杓子や箸も同様であるが、これらは鍋に蓋をした上に置くこともあるが、蓋の外面は凸状のため不安定で転げ落ちていた。
（ロ）煮ている時に鍋の蓋をとり廻りに置くと、蓋の内側を下にすると雫くがこぼれる、また蓋の上部を下にして置いた場合、摘みを手から離すとき蓋の縁が手にふれて熱い。
（ハ）蓋の雫くや汁などが付いた杓子を置くと、コンロ台やテーブル面が汚れる。特に杓子や箸などは他にふれると不潔である、そのため皿などの上に置いていた。
本発明は、これらの間題点を解決するためになされたものである。
【課題を解決するための手段】
【０００４】蓋にヘラ状の爪を設け、鍋の外周部には受け口を設け蓋を鍋の縁に立て掛けるようにした。
杓子の柄の部分にフックを設け鍋の縁に吊り下げるようにした。
杓子を吊ったまま蓋ができるよう、蓋の外周部を１部凹状の切り欠きを設けた。
【発明の効果】
【０００５】本発明により、下記のような効果を得ることができる。
（イ）空いたスペース分  他の物が以前より多く置けることになる。
（ロ）外に置く場所をつくらなくてよく、また捜す必要がない。
（ハ）汁などの雫くが外にこぼれ落ちることがないので、また蓋及び杓子がコンロやテーブル面に接することがないので清潔であり、置き皿も不要である。
（ニ）蓋を立て掛けた時に、杓子も同時に吊ることができる。
（ホ）箸を差し立て、また杓子は吊ったまま蓋をすることができる。
（ヘ）この杓子は他の数多くの鍋にも吊り下げることができ、兼用できる。
（ト）従来あった鍋の内部圧力を抜く穴は、この蓋の凹状の切り欠きにより不要である。
（チ）本発明は、従来の製品にそのまま取付け、及び加工ができ、製品化することもできる。
（リ）本発明は、構造が簡単なため制作コストが低く、そのため製品価格は安価である。
【発明を実施するための最良の形態】
【０００６】以下、本発明［請求項１］（Ａ）の実施例について説明する。
［図１］［図２］において、蓋２の外面の外周部分にヘラ状の爪３を設ける。こ場合は鍋の縁を挟むので爪は２枚とし、その間隔は鍋の板厚を挟める巾とし、そこを鍋１の外周部に差し込み蓋を立てる。そのときヘラ状の爪３と、鍋と蓋の接点１１の２ケ所で受け、安定する。蓋２は鍋１の外周のどの位置にでも立て掛けることができる。
以下、本発明［請求項１］（Ｂ）の実施例について説明する。
［図３］及び［図５］に示すように、杓子を吊ったまま蓋をすることができるように、蓋２の外周部に凹状の切り欠き１０を設ける。この切り欠きの大きさは、鍋に蓋をしたとき箸及び、杓子の柄の部分がは入る大きさを要する。
これは本発明［請求項３］に間係する。
以下、本発明［請求項２］の実施例について説明する。
［図４］に示すように、鍋の外周上部断面の形状がＬ形の場合（以下、フランジ形鍋４と言う）は、そこに［図３］に示すヘラ状の爪５がは入る受け口６を設け、蓋２に設けたヘラ状の爪５を差し込んで鍋に立て掛ける。このヘラ状の爪５は１枚とし、蓋はヘラ状の爪５と、鍋の内側の接点１１の２点により受けられ、蓋は鍋の内側に立て掛けられ安定する。
また受け口６は［図４］に示すように、フランジ部の外周に数ケ所あけておくと任意の場所に立て掛けることができる。
以下、本発明［請求項３］の実施例について説明する。
［図５］及び［図６］に示すように、杓子７の柄の背の下部分にフック８を設け、そこを鍋１、またはフランジ形鍋４の外周上部の縁に掛け吊り下げる。［図６］の「フランジ形鍋４の場合」に示すように、フック８の巾９は鍋４のフランジ巾を挟める巾９を要する。またこのような巾を有するものは、［図６］の「鍋１の場合」に示すように縁がフランジ形状でないものは勿論、巾９以下のものであれば他の多くのフランジ形鍋にも兼用できる。
しかし、この巾９が大きいと使用時邪魔になることになる。
これを解決するには、できる限り鍋のフランジ巾を小さくすると良い。
【図面の簡単な説明】
【０００７】
【図１】本発明［請求項１］（Ａ）の実施例を示す斜視図
【図２】本発明［図１］の断面図
【図３】本発明［請求項２］の実施例を示す斜視図
【図４】［図３］のフランジ形鍋４の平面図
【図５】本発明［請求項１］（Ｂ）［請求項３］の実施例を示す斜視図
【図６】本発明［請求項３］の実施例を示す断面図
【符号の説明】
【０００８】１  鍋
２  蓋
３  ヘラ状の爪
４  フランジ形鍋
５  ヘラ状の爪
６  受け口
７  杓子
８  フック
９  巾
１０  切り欠き
１１  接点
【図１】
2010188110.tif 000003
【図２】
2010188110.tif 000004
【図３】
2010188110.tif 000005
【図４】
2010188110.tif 000006
【図５】
2010188110.tif 000007
【図６】
2010188110.tif 000008
(57)【要約】【課題】  従来のものは、ひとつの箱に１歯ずつ保存する為、箱が数多くなっていた。また、ひとつの箱に全部の歯をまぜこぜに保存する為、どの部位の歯なのかわかりにくかった。【解決手段】  ひとつの箱で、人の顎の様に上部と下部に分け、人の歯列の様にそれぞれの部位の抜去歯が１本ずつ収納できる様に仕切り板を付けた為、抜けた歯が永年経っても、どの部位の歯が抜けたのかわかりやすくなる。また、ひとつにまとまっているので、タンスなどに収納しやすくなる。【選択図】図１
2010188104.tif 000002
【特許請求の範囲】
【請求項１】
上部と下部に分けて、開閉できる抜去歯保存箱。
【請求項２】
歯の部位ごとに収納できる仕切り板を付けた抜去歯保存箱。
【請求項３】
収納した抜去歯が飛び出ない様蓋を付けた抜去歯保存箱
【発明の詳細な説明】
【技術分野】
【０００１】  本発明は、どの部位の歯が抜けたのかが永年経ってもわかる保存箱に関するもの。
【背景技術】
【０００２】  従来は、ひとつの箱に１歯ずつや、ひとつの箱に他の部位の歯をまぜこぜにして収納するというものがある。
【先行技術文献】
【特許文献】
【０００３】
【特許文献１】
【特許文献２】
【非特許文献】
【０００４】
【非特許文献１】株式会社ビーエスエーサクライ  デンタルカタログＶＯＬ，１０、ｐ．３９
【発明の概要】
【発明が解決しようとする課題】
【０００５】  従来では、ひとつの箱に１歯ずつだと箱が数多くなる。また、ひとつの箱にひとまとめに収納すると一般の人にはどの部位の歯が抜けたのかがわかりにくかった。本発明は以上の様な欠点をなくす為になされたものである
【課題を解決するための手段】
【０００６】  本発明は、ひとつの箱を上部と下部に分け、開閉することができ、１本ずつ抜けた歯を収納できる様仕切り板を設けた。
【発明の効果】
【０００７】  本発明の保存箱は、抜けた歯が永年経ってもどの部位かがわかり、ひとつの箱に抜けた歯をそれぞれまとめて保管し続ける事ができる効果が生まれた。
【図面の簡単な説明】
【０００８】
【図１】本発明の保存箱の閉じた状態の斜視図
【図２】同保存箱を開いた状態の斜視図
【発明を実施するための形態】
【０００９】  以下、本発明の実施の形態を図１〜図２に説明する。
【実施例】
【００１０】  １は抜けた歯を収納するところで、仕切り板２で仕切られている。【００１１】  ４を支点に二つ折りにする事ができる。【００１２】  歯が飛び出ない様に、スライドする蓋を付ける
【符号の説明】
【００１３】  １  抜けた歯の収納庫  ２  仕切り板  ３  上部と下部の接合部  ４  スライドする蓋
【図１】
2010188104.tif 000003
【図２】
2010188104.tif 000004
(57)【要約】【課題】  指導員の指導のもとに、入浴者３を浴槽１の中に仰臥させて、入浴者３の身体を安定させながら、へん石２（角のある石灰石）を、入浴者３の頭部を除く全身又は背側面に湯水と同時に覆い、鍼、灸、按摩、マッサージ、指圧等々の効果と温泉浴効果を同時に得る入浴方法である。へん石２は一辺２０ｍｍ前後の、上記入浴用のへん石（角のある石灰石）を使用する。【解決手段】  指導員の指導のもとに、入浴者３を浴槽１の中に仰臥させて、頭部を除く全身又は背側面に、へん石２（角のある石灰石）と湯水を同時に注いで、鍼、灸、按摩、マッサージ、指圧等々の効果と温泉浴効果を同時に得る方法である。【選択図】図２
2010188105.tif 000002
【特許請求の範囲】
【請求項１】
浴槽１の底辺部に、へん石２（角のある石灰石）を敷き詰めてその上に、入浴者３を仰臥さして、へん石２を入浴者３の側面及び上部に覆い、浴槽１に入浴適温の４０℃前後の湯水を注入する、その入浴方法。
【請求項２】
浴槽１の底辺部に、へん石２（角のある石灰石）を敷き詰めて、毎回入浴前に６０℃以上の湯水を、へん石２の部位に注いで高温水消毒をして、浴槽１に入浴適温４０℃前後の湯水を注入する、その入浴の方法。
【請求項３】
浴槽１の底辺部に、へん石２（角のある石灰石）を敷き詰めて、毎回入浴前に６０℃以上の湯水を、へん石２の部位に注いで、カルシウムイオン濃度を高めて入浴する、その入浴方法。
【請求項４】
浴槽１の底辺部に、へん石２（角のある石灰石）を敷き詰めて、毎回入浴前に６０℃以上の湯水を、へん石２の部位に注いで、カルシウムイオン濃度を高める、一片２０ｍｍ前後の、入浴用へん石２（角のある石灰石）。
【発明の詳細な説明】
【技術分野】
【０００１】    本発明は、へん石２（角のある石灰石）を、浴槽１の下部に敷き詰めて、その上に入浴者３を仰臥させて入浴する方法で健康保健分野になる。
【背景技術】
【０００２】
【特許文献１】［発行国］日本国特許庁（ＪＰ）［公報種別］公開特許公報（Ａ）
［公開番号］特開２００１−２９９８６８（Ｐ２００１−２９９８Ａ）
［公開日］平成１３年１０月３０日（２００１．１０．３０）
［発明の名称］へん石を利用した入浴方法
［出願番号］特願２０００−１５５４７６（Ｐ２０００−１５５４７６）
［出願日］平成１２年４月１７日（２０００．４．１７）
［出願人］
［識別番号］３９６０１３２１５
【発明の開示】
【発明が解決しようとする課題】
【０００３】    高まる健康志向のニイズに対応するために、清潔で安全な全く新規な入浴方法を提供するものである。
【課題を解決するための手段】
【０００４】    上記目的を達成するために、浴槽１を設置する。【０００５】    上記目的を達成するために、浴槽１の下部にへん石２（角のある石灰石）を敷き詰めて、６０℃以上の湯水を注いで滅菌する。【０００６】    上記目的を達成するために、滅菌をしたへん石２の温度調整をしながら、浴槽１の下部に敷き詰めたへん石２の上に、入浴者３を仰臥させる。【０００７】    上記目的を達成するために、仰臥した入浴者３の両サイドのへん石２を、へん石迫り上げ装置４でへん石を迫り上げる。【０００８】    上記目的を達成するために、入浴者の頭部を除く全身に、湯水を注いで入浴する。
【発明の効果】
【０００８】      へん石２（角のある石灰石）の持続刺激圧迫は、視床下部を刺激し快楽ホルモンを発生させて鎮痛効果及び精神安定効果を引き起こす。【０００９】    へん石２を浴槽１の下部に敷き詰めて、６０℃以上の温度の湯水を注いで、滅菌をして浴槽の清潔保全を維持する。
【発明を実施するための最良の形態】
【００１０】    本発明は、指導員の指導の下に、浴槽１の下部に、へん石２（角のある石灰石）を敷き詰めて６０℃以上の湯水で滅菌消毒をして、湯水を温度加減しながら入浴者３をへん石２の上に仰臥さして、湯水を注ぎながら、入浴者３の両側のへん石２をへん石２の迫り上げ装置４で迫り上げて入浴する。
【実施例】
【００１１】    以上説明したように、上記のように実施する。
【産業上の利用可能性】
【００１２】    本発明は、無害で安全な入浴方法で、自己と自然界を区別する身体の皮膚を入浴効果で清潔に強化して、へん石２（角のある石）の持続推圧による三焦系（リンパ液や老廃物及び栄養素）の新陳代謝を促して、心身共に爽快になる。よって家庭浴場や温泉保養地及び医業の分野まで、産業上の利用可能性がある。
【図面の簡単な説明】
【００１３】
【図１】  入浴者が入浴中の断面図
【００１４】
【図２】  入浴者が入浴中の断面図
【００１５】
【図３】  入浴者が入浴中の側面図
【００１６】
【図４】  入浴者が入浴中の側面図
【符号の説明】  １浴槽１
２へん石２
３入浴者３
４へん石迫り上げ装置４
【図１】
2010188105.tif 000003
【図２】
2010188105.tif 000004
【図３】
2010188105.tif 000005
【図４】
2010188105.tif 000006
(57)【要約】      （修正有）【課題】安全面から刃物を使わずに包装を開切出来る方法、及び、用具を提供する。【解決手段】刃物を使わずに包装フィルムや袋、ビニ−ルテ−プ、紐類で包装された食材や各種日用品の包みを開切する方法として、研摩材の持つ研摩、研削力を利用するため、研摩材を粘結材で粘結するか粘着させた板状形成物を成型した。板状形成物は５角形として、その外周辺を研摩材粒子を保持する範囲の厚みの薄刃状にして刃物に代わる切断具（刃のないカッタ−と言う）とした。使用方法は刃のないカッタ−を指先で持ち５角形の角部を包装フィルム類の表面に軽く押し当てて引くことによって包装を開切することが出来る。【選択図】図１
2010188101.tif 000002
【特許請求の範囲】
【請求項１】
天然鉱物または人造合成鉱物を基材として造られた研磨材を結合材で結合するか、粘着材で粘着させた任意角度を持つ板状形成物を成型して、その板状形成物の研磨材の研摩・研削力を利用して刃物を使わずに包装フィルム・袋・包装テ−プ・紐・包装紙類を研削切断することができることを特徴とする刃物を使わない切断具。
【発明の詳細な説明】
【技術分野】
【０００１】本発明は、包装フィルムやポリエレン・ビニ−ル袋、テ−プ、紐、紙類で包装された包装材を刃物を使わずに開切するためのカッタ−に関するものである。
【背景技術】
【０００２】近年、  ス−パ−やコンビニエンスストアで各種トレイに包装フィルムや袋で密封包装された食材が極めて多い。また各種包装にビニ−ル袋、テ−プや紐で結ばれる例が多い。特に包装フイルムで包装された各種トレイでは水や液のこぼれがなく、安全衛生、運搬に便利である。しかしながら、持ち帰って開けようとすると、なかなか包装フイルムが外しにくく、特に老人や子供は開かないのでイライラする例が多い。このような場合のフィルムや袋、テ−プの切断に包丁やハサミ等刃物を使用することは極めて危険であるという背景がある。
そこで刃物を使わない開切、切断方法が求められる。
【発明の概要】
【発明が解決しようとする課題】
【０００３】そのために、次のような問題点があった。
近年、包装フイルムや袋、ビニ−ルテ−プ、紐類で包装された食材や各種日用品が多い。特に包装フイルムで包装された食材トレイ等は安全衛生面、運搬にも便利である。しかし持ち帰って開けようとするとなかなか開けにくく、包丁やハサミを使わざるを得ない例が多い。ポリエチレンや塩化ビニル袋、ビニ−ルテ−プ、  紐の場合でも同様である。特に老人や子供の切過災害防止面から刃物を使わない開切技術が望まれるところである。  ここに刃物を使わない切断具の提供が必要となる。  本発明は、これ等の問題点を解決するためのものである。
【課題を解決するための手段】
【０００４】問題を解決する手段として特許請求項に記載の研摩材の持つ摩擦・研削力を利用して刃物を使わずに包装フィルムや袋類を開切出来るようにするものである。具体的には、刃物を使わないカッタ−を提供するため刃物の刃に代るものとして研摩材を結合材で結合するか、または粘着材で粘着させた板状形成物（刃のないカッタ−と言う）をつくる。板状形成物は経験的に５〜６角形状板が、研摩材の粒度は６０〜１８０番が実用的である。本発明では、カッタ−の大きさ、形状について説明すれば、直径８ｃｍの円から５角形板を作図した大きさで５角の外周辺は研摩材粒子を保持する範囲の厚みの刃物を形成するような薄刃状に、中心部は５〜７ｍｍの厚みをもたせた板状形成物でありこれを刃のないカッタ−として使用する。  使用方法は刃のないカッタ−を指先で持ち５角形の角部を包装フイルムや袋類の表面に軽く押し当てて引くことによって包装を開切することが出来る。カッタ−の表・裏平面部、外周部も研摩、研削の広い用途を持つ。
【発明の効果】
【０００５】包装フイルムや袋、テ−プガかけられた食材類は、包装が密着していて容易に開けられない場合が多い。本発明では刃物を使う危険性を排除するために研摩材の研摩、研削力を刃物の刃に代わるものとして、研摩材を薄型板状形成物に加工したもので、これを刃のないカッタ−と称する。このカッタ−は洋裁で布裁断の線引きに用いられるチャコの様な感覚で包装フイルム類を切断できるから、  安易に刃物を使う危険性を避けることが出来る利点がある。
また、刃のないカッタ−は切断具の主体となる角部の外、平面部、周辺部は研摩、研削用具としてカッタ−形状の手軽さとあいまって多用途も備えている。
【図面の簡単な説明】
【０００６】
【図１】刃のないカッタ−の上面図
【図２】刃のないカッタ−の断面図
【発明を実施するための最良の形態】
【０００７】以下、本発明の実施の形態を説明する
（イ）直型８ｃｍの円から作図した５角形の板状形成物を研磨材を粘結させて成型する。この板状成型物を刃のないカッタ−（１）と言う。
（６）は５角形作図上の中心線。
（ロ）刃のないカッタ−（１）の表面には研磨材の粒子（２）が摩擦研削力が十分に発揮出来るように粘結材と組み合わせて成型する。
（ハ）研削切断の主体となる５角形の各角部（３）および各角を結ぶ外周辺（４）は刃物を形成するような薄刃状に、中央部は５〜７ｍｍの厚みになるような膨らみを持たせ、つまみやすいようにする。角部の先端はわずかなＲ角度を持たせる。
（二）刃のないカッタ−（１）の上面表面にはネ−ミングシ−ル（５）を付ける。
本発明は、以上の構成よりなっている。
本発明を使用する方法は、刃のないカッタ−（１）を指先でつかみ、食材トレ−などに包装されたフイルムや袋類にカッタ−のなす角部分（３）を軽く押し当てて引き裂くような動作で容易にフイルム類を開削切断出来る。
また、テ−プ類はカッタ−の外周辺（４）で、研摩にはカッタ−の平面部で研削、研摩をすることが出来る。
【符号の説明】
【０００８】１  刃のないカッタ−
２  研摩材の粒子
３  角部
４  外周辺
５  ネ−ミングシ−ル
６  中心線
７  断面
【図１】
2010188101.tif 000003
【図２】
2010188101.tif 000004